(57)【要約】  本願は、上りデータ伝送方法及びこの方法を実行するユーザ装置（ＵＥ）を提供している。本願の方法は、第１の乱数を生成するステップＡと、生成された第１の乱数に基づいて、ランダムアクセス手順を開始するか否かを判断し、開始する場合、基地局からタイミングアドバンス（ＴＡ）の値を取得し、開始しない場合、他のＵＥからブロードキャストされたＴＡメッセージを監視し、その中からＴＡの値を取得するステップＢと、取得されたＴＡの値に基づいて、上りデータ伝送を行うステップＣと、上りデータ伝送に成功した場合、引き続いてステップＥを実行し、上りデータ伝送に成功しなかった場合、ステップＡに戻るステップＤと、取得されたＴＡの値に基づいて、ＴＡメッセージを生成し、生成されたＴＡメッセージをブロードキャストするステップＥと、を含む。本願の方法によれば、遅延及び電力消耗を減少させることができる。
2019527986.tif 000002
【特許請求の範囲】
【請求項１】
上りデータ伝送方法であって、
第１の乱数を生成するステップＡと、
生成された第１の乱数に基づいて、ランダムアクセス手順を開始するか否かを判断し、ランダムアクセス手順を開始すると判断した場合、ランダムアクセス手順によって、基地局からタイミングアドバンス（ＴＡ）の値を取得し、ランダムアクセス手順を開始しないと判断した場合、他のユーザ装置（ＵＥ）からブロードキャストされたＴＡメッセージを監視し、その中からＴＡの値を取得するステップＢと、
取得されたＴＡの値に基づいて、上りデータ伝送を行うステップＣと、
上りデータ伝送に成功した場合、引き続いてステップＥを実行し、上りデータ伝送に成功しなかった場合、ステップＡに戻るステップＤと、
取得されたＴＡの値に基づいて、ＴＡメッセージを生成し、生成されたＴＡメッセージをブロードキャストするステップＥと、
を含むことを特徴とする方法。
【請求項２】
前記生成された第１の乱数に基づいて、ランダムアクセス手順を開始するか否かを判断することは、
生成された第１の乱数と、自局に記憶されている第１の閾値とを比較し、生成された第１の乱数が、自局に記憶されている第１の閾値より小さいか否かを判断し、生成された第１の乱数が、自局に記憶されている第１の閾値より小さい場合、ランダムアクセス手順を開始すると判断し、生成された第１の乱数が、自局に記憶されている第１の閾値以上である場合、ランダムアクセス手順を開始しないと判断すること、
を含むことを特徴とする請求項１に記載の方法。
【請求項３】
前記第１の閾値は、予め定められたものであり、又は、基地局から受信されたものであることを特徴とする請求項２に記載の方法。
【請求項４】
ステップＥを実行する前に、
第２の乱数を生成し、生成された第２の乱数に基づいて、自局がＴＡのブロードキャスト装置であるか否かを決定し、自局がＴＡのブロードキャスト装置であると決定した場合、ステップＥを実行し、自局がＴＡのブロードキャスト装置ではないと決定した場合、終了すること、
をさらに含むことを特徴とする請求項１に記載の方法。
【請求項５】
生成された第２の乱数に基づいて、自局がＴＡのブロードキャスト装置であるか否かを決定することは、
生成された第２の乱数と、自局に記憶されている第２の閾値とを比較し、生成された第２の乱数が、自局に記憶されている第２の閾値より小さいか否かを判断し、生成された第２の乱数が、自局に記憶されている第２の閾値より小さい場合、自局がＴＡのブロードキャスト装置であると決定すること、
を含むことを特徴とする請求項４に記載の方法。
【請求項６】
前記第２の閾値は、予め定められたものであり、又は、基地局から受信されたものであることを特徴とする請求項５に記載の方法。
【請求項７】
前記ＴＡメッセージは、ＴＡフィールド、ホップカウントフィールド、及びセル識別子フィールドを含み、
前記取得されたＴＡの値に基づいて、ＴＡメッセージを生成することは、
取得されたＴＡの値をＴＡメッセージのＴＡフィールドに入れ、
ＴＡのホップカウントを生成してＴＡメッセージのホップカウントフィールドに入れ、
自局の位置するセルの識別子をＴＡメッセージのセル識別子フィールドに入れること、
を含むことを特徴とする請求項１に記載の方法。
【請求項８】
前記ＴＡのホップカウントを生成することは、
取得されたＴＡの値が、ランダムアクセス手順によって、直接に基地局から取得されたものである場合、生成されたＴＡのホップカウントが０であり、
取得されたＴＡの値が、他のＵＥからブロードキャストされたＴＡメッセージから取得されたものである場合、生成されたＴＡのホップカウントが、受信されたＴＡメッセージのホップカウントフィールドによって伝送されたＴＡのホップカウントに１を加えたものであること、
を含むことを特徴とする請求項７に記載の方法。
【請求項９】
前記生成されたＴＡメッセージをブロードキャストすることは、ＬＴＥのＳｉｄｅｌｉｎｋによって、生成されたＴＡメッセージをブロードキャストすること、
を含むことを特徴とする請求項１に記載の方法。
【請求項１０】
前記他のＵＥからブロードキャストされたＴＡメッセージを監視し、その中からＴＡの値を取得することは、
時間ウィンドウＴを設定し、時間ウィンドウＴ内で、他のＵＥからのＴＡメッセージを受信した場合、受信されたＴＡメッセージからＴＡの値を取得すること、
を含むことを特徴とする請求項１に記載の方法。
【請求項１１】
前記ＴＡメッセージは、ＴＡフィールド、ホップカウントフィールド、及びセル識別子フィールドを含み、
前記受信されたＴＡメッセージからＴＡの値を取得することは、
１つだけのＴＡメッセージを受信した場合、直接に前記ＴＡメッセージからＴＡの値を取得し、
１つより多いＴＡメッセージを受信した場合、各ＴＡメッセージによって伝送されたＴＡのホップカウントを検査し、その中から、ＴＡのホップカウントが最も少ないＴＡメッセージを決定し、
ＴＡのホップカウントが最も少ないＴＡメッセージが１つだけあれば、直接に前記ＴＡメッセージからＴＡの値を取得し、
ＴＡのホップカウントが最も少ないＴＡメッセージが複数あれば、さらに、各ＴＡメッセージによって伝送されたセル識別子が同じであるか否かを判断し、
各ＴＡメッセージによって伝送されたセル識別子が同じであるとき、各ＴＡメッセージによって伝送されたＴＡの値を線型結合し、結合されたＴＡの値に基づいて、自局のＴＡの値を決定し、
各ＴＡメッセージによって伝送されたセル識別子が同じではないとき、受信電力強度が最大となるセル又は自局のサービングセルに対応するＴＡメッセージを決定し、決定されたＴＡメッセージに基づいて、自局のＴＡの値を決定すること、
を含むことを特徴とする請求項１０に記載の方法。
【請求項１２】
設定されたブロードキャスト時間ウィンドウの長さ以内で、生成されたＴＡメッセージを繰り返してブロードキャストすること、
をさらに含むことを特徴とする請求項１に記載の方法。
【請求項１３】
前記ＴＡメッセージは、ホップカウントフィールドをさらに含み、
ＴＡメッセージを生成する前に、前記方法は、ＴＡの値が他のＵＥのＴＡメッセージからのものであって、且つ該ＴＡメッセージによって伝送されたＴＡのホップカウントが、予め定められた第３の閾値以上である場合、終了すること、
をさらに含むことを特徴とする請求項１に記載の方法。
【請求項１４】
ユーザ装置（ＵＥ）であって、
第１の乱数を生成する第１の乱数生成モジュールと、
第１の乱数に基づいて、ランダムアクセス手順を実行するか否かを決定し、ランダムアクセス手順を実行すると決定した場合、ランダムアクセス手順によって、ｅＮＢからタイミングアドバンス（ＴＡ）の値を取得し、ランダムアクセス手順を実行しないと決定した場合、他のＵＥからブロードキャストされたＴＡメッセージを監視し、その中からＴＡの値を取得するＴＡ取得モジュールと、
取得されたＴＡの値に基づいて、上りデータ伝送を行うデータ伝送モジュールと、
取得されたＴＡの値に基づいて、ＴＡメッセージを生成するＴＡメッセージ生成モジュールと、
生成されたＴＡメッセージをブロードキャストするブロードキャストモジュールと、
を備えることを特徴とするＵＥ。
【請求項１５】
第１の閾値を記憶する第１の記憶モジュールをさらに備え、
前記ＴＡ取得モジュールは、生成された第１の乱数と、記憶モジュールに記憶されている第１の閾値とを比較し、生成された第１の乱数が、自局に記憶されている第１の閾値より小さいか否かを判断し、生成された第１の乱数が、自局に記憶されている第１の閾値より小さい場合、ランダムアクセス手順を開始すると決定し、生成された第１の乱数が、自局に記憶されている第１の閾値以上である場合、ランダムアクセス手順を開始しないと決定することを特徴とする請求項１４に記載のＵＥ。
【請求項１６】
第２の乱数を生成する第２の乱数生成モジュールをさらに備え、
前記ＴＡメッセージ生成モジュールは、ＴＡメッセージを生成する前に、第２の乱数に基づいて、自局がＴＡのブロードキャスト装置であるか否かを決定し、自局がＴＡのブロードキャスト装置であると決定した場合、取得されたＴＡの値に基づいて、ＴＡメッセージを生成し、自局がＴＡのブロードキャスト装置ではないと決定した場合、ＴＡメッセージを生成しないことを特徴とする請求項１４に記載のＵＥ。
【請求項１７】
第２の閾値を記憶する第２の記憶モジュールをさらに備え、
前記ＴＡメッセージ生成モジュールは、生成された第２の乱数と、自局に記憶されている第２の閾値とを比較し、生成された第２の乱数が、自局に記憶されている第２の閾値より小さいか否かを判断し、生成された第２の乱数が、自局に記憶されている第２の閾値より小さい場合、自局がＴＡのブロードキャスト装置であると決定することを特徴とする請求項１６に記載の方法。
【請求項１８】
前記ＴＡメッセージは、ＴＡフィールド、ホップカウントフィールド、及びセル識別子フィールドを含み、
前記ＴＡメッセージ生成モジュールは、取得されたＴＡの値をＴＡメッセージのＴＡフィールドに入れ、ＴＡのホップカウントを生成してＴＡメッセージのホップカウントフィールドに入れ、自局の位置するセルの識別子をＴＡメッセージのセル識別子フィールドに入れることを特徴とする請求項１４に記載のＵＥ。
【請求項１９】
前記ブロードキャストモジュールは、設定されたブロードキャスト時間ウィンドウの長さ以内で、生成されたＴＡメッセージを繰り返してブロードキャストすることを特徴とする請求項１４に記載のＵＥ。
【請求項２０】
前記ＴＡメッセージ生成モジュールは、ＴＡメッセージを生成する前に、さらに判断し、ＴＡの値が他のＵＥのＴＡメッセージからのものであって、且つ該ＴＡメッセージによって伝送されたＴＡのホップカウントが、予め定められた第３の閾値以上である場合、処理を終了することを特徴とする請求項１４に記載のＵＥ。
【請求項２１】
不揮発性コンピュータ可読記憶媒体であって、
前記記憶媒体に機械可読指令が記憶され、前記機械可読指令は、
第１の乱数を生成するステップＡと、
生成された第１の乱数に基づいて、ランダムアクセス手順を開始するか否かを判断し、ランダムアクセス手順を開始すると判断した場合、ランダムアクセス手順によって、基地局からタイミングアドバンス（ＴＡ）の値を取得し、ランダムアクセス手順を開始しないと判断した場合、他のユーザ装置（ＵＥ）からブロードキャストされたＴＡメッセージを監視し、その中からＴＡの値を取得するステップＢと、
取得されたＴＡの値に基づいて、上りデータ伝送を行うステップＣと、
上りデータ伝送に成功した場合、引き続いてステップＥを実行し、上りデータ伝送に成功しなかった場合、ステップＡに戻るステップＤと、
取得されたＴＡの値に基づいて、ＴＡメッセージを生成し、生成されたＴＡメッセージをブロードキャストするステップＥと、
を完成させるように、プロセッサで実行可能であることを特徴とする不揮発性コンピュータ可読記憶媒体。
【発明の詳細な説明】
【技術分野】
【０００１】
本発明は、無線通信システムに関し、特に、無線通信システムにおける上りデータ伝送方法及び相応の装置に関する。
【背景技術】
【０００２】
第４世代移動通信（４Ｇ）が急速に発展しつつある今、第５世代移動通信（５Ｇ）の規格策定も日程にのぼっている。国際電気通信連合（ＩＴＵ）の定義によると、５Ｇには、３つの代表的な利用シナリオがある。第１は、モバイルブロードバンドのさらなる高度化（ｅＭＢＢ：Ｅｎｈａｎｃｅｄ  Ｍｏｂｉｌｅ  Ｂｒｏａｄｂａｎｄ）である。このシナリオでは、スマート端末のユーザのネットワークピーク速度が１０Ｇｂｐｓ、ひいては２０Ｇｂｐｓに達することができ、仮想現実、動画のライブ配信かつ共有、随時随所のクラウドアクセスなどの広い帯域幅のアプリケーションの発展をサポートすることが可能になる。第２は、多数同時接続を実現するマシンタイプ通信（ｍＭＴＣ：Ｍａｓｓｉｖｅ  Ｍａｃｈｉｎｅ  Ｔｙｐｅ  Ｃｏｍｍｕｎｉｃａｔｉｏｎ）であり、５Ｇネットワークでサポートされる人及び物の接続数が１００万個／平方キロメートルに達することが要求される。第３は、超高信頼かつ低遅延通信（ｕＲＬＬＣ：Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎ）である。これは、５Ｇネットワークの遅延が１ミリ秒に達することができることを意味し、知的生産、遠隔機械制御、運転アシスト、及び自動走行などのような低遅延サービスの発展を推進する。
【発明の概要】
【発明が解決しようとする課題】
【０００３】
前述したように、上記の多数同時接続を実現するマシンタイプ通信の利用シナリオでは、５Ｇネットワークでサポートされる人及び物の接続数が１００万個／平方キロメートルに達する。このような大量の端末のアクセスが必要な場合、５Ｇネットワークにおける上りトラフィックは大幅に増加する。これに応じて、５Ｇネットワークにおける基地局が上りスケジューリングを行う際のシグナリングオーバヘッドも大幅に増加する。このため、５Ｇネットワークにおいて、如何に上りデータ伝送を行うかが、現在の研究ホットスポットの１つとなっている。
【課題を解決するための手段】
【０００４】
本願の実施例は、上りデータ伝送方法を提供している。この方法は、第１の乱数を生成するステップＡと、生成された第１の乱数に基づいて、ランダムアクセス手順を開始するか否かを判断し、ランダムアクセス手順を開始すると判断した場合、ランダムアクセス手順によって、基地局からタイミングアドバンス（ＴＡ）の値を取得し、ランダムアクセス手順を開始しないと判断した場合、他のユーザ装置（ＵＥ）からブロードキャストされたＴＡメッセージを監視し、その中からＴＡの値を取得するステップＢと、取得されたＴＡの値に基づいて、上りデータ伝送を行うステップＣと、上りデータ伝送に成功した場合、引き続いてステップＥを実行し、上りデータ伝送に成功しなかった場合、ステップＡに戻るステップＤと、取得されたＴＡの値に基づいて、ＴＡメッセージを生成し、生成されたＴＡメッセージをブロードキャストするステップＥと、を含む。
【０００５】
本願の実施例は、ユーザ装置（ＵＥ）も提供している。このＵＥは、第１の乱数を生成する第１の乱数生成モジュールと、第１の乱数に基づいて、ランダムアクセス手順を実行するか否かを決定し、ランダムアクセス手順を実行すると決定した場合、ランダムアクセス手順によって、ｅＮＢからタイミングアドバンス（ＴＡ）の値を取得し、ランダムアクセス手順を実行しないと決定した場合、他のＵＥからブロードキャストされたＴＡメッセージを監視し、その中からＴＡの値を取得するＴＡ取得モジュールと、取得されたＴＡの値に基づいて、上りデータ伝送を行うデータ伝送モジュールと、取得されたＴＡの値に基づいて、ＴＡメッセージを生成するＴＡメッセージ生成モジュールと、生成されたＴＡメッセージをブロードキャストするブロードキャストモジュールと、を備える。
【０００６】
本願の実施例は、不揮発性コンピュータ可読記憶媒体も提供している。前記記憶媒体に機械可読指令が記憶され、前記機械可読指令は、第１の乱数を生成するステップＡと、生成された第１の乱数に基づいて、ランダムアクセス手順を開始するか否かを判断し、ランダムアクセス手順を開始すると判断した場合、ランダムアクセス手順によって、基地局からタイミングアドバンス（ＴＡ）の値を取得し、ランダムアクセス手順を開始しないと判断した場合、他のユーザ装置（ＵＥ）からブロードキャストされたＴＡメッセージを監視し、その中からＴＡの値を取得するステップＢと、取得されたＴＡの値に基づいて、上りデータ伝送を行うステップＣと、上りデータ伝送に成功した場合、引き続いてステップＥを実行し、上りデータ伝送に成功しなかった場合、ステップＡに戻るステップＤと、取得されたＴＡの値に基づいて、ＴＡメッセージを生成し、生成されたＴＡメッセージをブロードキャストするステップＥと、を完成させるように、プロセッサで実行可能である。
【発明の効果】
【０００７】
上記の構成から分かるように、本願の実施例で提供された上りデータ伝送方法は、全てのＵＥがランダムアクセス手順を実行する必要がない。この方法では、一部のＵＥが、ランダムアクセス手順によって、ＴＡの値を取得するが、一部のＵＥが、他のＵＥからブロードキャストされたＴＡメッセージから、ＴＡの値を取得する。全てのＵＥがランダムアクセス手順を実行するわけではないので、ＵＥのランダムアクセス手順の衝突によるアクセス遅延、シグナリングオーバヘッド、及び電力消耗を大幅に減少させることができる。５Ｇの、多数同時接続を実現するマシンタイプ通信の利用シナリオでも、優れた上りアクセス性能を得ることができる。
【図面の簡単な説明】
【０００８】
【図１】本願の実施例における上りデータ伝送方法のフローを示す。
【図２】本願の実施例におけるＴＡメッセージの構造を示す。
【図３】本願の実施例におけるＵＥの内部構成の模式図である。
【発明を実施するための形態】
【０００９】
前述したように、多数同時接続を実現するマシンタイプ通信の利用シナリオでは、５Ｇネットワークにおける上りトラフィックは大幅に増加する。これに応じて、基地局が上りスケジューリングを行う際のシグナリングオーバヘッドも大幅に増加する。このため、如何に５Ｇネットワークにおいて上りデータ伝送を行うかが、現在の研究ホットスポットの技術となっている。長期的進化（ＬＴＥ）システムでは、基地局（ｅＮＢ）とユーザ装置（ＵＥ）との接続を確立するには、次のようなシグナリングやり取りを行う必要がある。
【００１０】
まず、ＵＥは、ランダムアクセスチャネル（ＲＡＣＨ）を介して、ランダムアクセス手順を開始し、ランダムアクセス要求をｅＮＢへ送信する。次に、ｅＮＢは、ＵＥのランダムアクセス要求を復号化する際に、該ＵＥの信号の伝送遅延を算出することができ、即ち、自局から該ＵＥまでの距離を知ることができ、これにより、該ＵＥの信号の伝送遅延に基づいて、ＵＥによるデータ信号伝送におけるタイミングアドバンス（ＴＡ：Ｔｉｍｉｎｇ  Ａｄｖａｎｃｅ）を決定する。そして、ｅＮＢは、アクセス許可チャネル（ＡＧＣＨ）を介して、決定されたＴＡの値をＵＥに通知する。
【００１１】
その後、ＵＥは、トラフィックチャネル（ＴＣＨ）における信号伝送をＴＡの値だけ早めることができる。これにより、異なるＵＥからの伝送信号の、ｅＮＢでの上り同期を実現する。
【００１２】
上記のランダムアクセス手順から分かるように、従来のＬＴＥシステムでは、ＵＥが、ランダムアクセス手順によってだけ、上記のタイミングアドバンス（ＴＡ）を取得することができる。そこで、５Ｇの、多数同時接続を実現するマシンタイプ通信の利用シナリオでは、依然としてこのような方式をそのまま使用すると、ユーザ数の激増につれて、全てのユーザがランダムアクセス手順を実行すれば、異なるユーザ間のランダムアクセス手順の衝突が頻繁に発生するので、巨大なアクセス遅延及びＵＥの電力消耗を引き起こすことになり、５Ｇネットワークに巨大な負担をもたらす。
【００１３】
このような問題を解決するために、本願の実施例は、上りデータ伝送方法を提供している。この方法では、全てのＵＥがランダムアクセス手順を実行する必要がなく、一部のＵＥが、他のＵＥからＴＡの値を取得することができるので、異なるＵＥからの伝送信号の、ｅＮＢでの上り同期を依然として実現することができる。このため、ＵＥのランダムアクセス手順に発生し得る衝突を大幅に減少させ、ランダムアクセス手順の遅延及び電力消耗を低減させ、特に５Ｇの、多数同時接続を実現するマシンタイプ通信の利用シナリオに適用することができる。
【００１４】
具体的には、図１は、本願の実施例における上りデータ伝送方法のフローを示す。
図１に示すように、本願の実施例における上りデータ伝送方法は、以下のステップを含む。
【００１５】
ステップ１０１で、ランダムアクセスを実行する前に、第１の乱数を生成する。
本願の実施例では、ＵＥの内部に乱数生成器が維持管理されている。このため、本ステップにおいて、ＵＥは、この乱数生成器によって、第１の乱数を生成する。
【００１６】
ステップ１０２で、生成された第１の乱数に基づいて、ランダムアクセス手順を開始するか否かを判断し、ランダムアクセス手順を開始すると判断した場合、ステップ１０３を実行し、ランダムアクセス手順を開始しないと判断した場合、ステップ１０４を実行する。
【００１７】
本ステップにおいて、具体的には、生成された第１の乱数と、自局に記憶されている第１の閾値とを比較し、生成された第１の乱数が、自局に記憶されている第１の閾値より小さいか否かを判断し、生成された第１の乱数が、自局に記憶されている第１の閾値より小さい場合、ランダムアクセス手順を開始すると判断し、生成された第１の乱数が、自局に記憶されている第１の閾値以上である場合、ランダムアクセス手順を開始しないと判断するようにしてもよい。
【００１８】
説明すべきものとして、上述した第１の乱数が第１の閾値より小さいことを満たすような、ランダムアクセス手順を実行するかの判断条件は、一例にすぎず、本願の実施例では、ランダムアクセスを実行するかの他の判断条件を設定してもよい。例えば、第１の乱数が第１の閾値より大きいといった条件でランダムアクセス手順を実行するように設定してもよい。これらの条件の設定は、本願の保護範囲を制限するものではない。
【００１９】
本願の実施例では、上記第１の閾値は、予め定められてＵＥに記憶されたものであってもよい。また、上記第１の閾値は、ｅＮＢから、各ＵＥへ送信された（例えば、各ＵＥへブロードキャストされた）ものであってもよい。
【００２０】
また、本願の実施例では、異なるＵＥに対して、異なる第１の閾値を設定してもよい。これにより、異なるタイプのＵＥに、異なるランダムアクセス手順を実行する確率を与え、精細なランダムアクセス制御を実現する。例えば、中継ノードとしてブロードキャストメッセージを送信する能力があって、且つ、メッセージのブロードキャストを行う意志があるＵＥ（例えば、ＭＴＣクラスタのヘッド装置）に対しては、ランダムアクセス手順を開始できる確率を増加させるように、高い第１の閾値を設定してもよいが、中継ノードとしてブロードキャストメッセージを送信する能力がないＵＥに対しては、ランダムアクセス手順を開始できる確率を低減させるように、低い第１の閾値を設定してもよい。
【００２１】
ステップ１０３で、ランダムアクセス手順によって、ｅＮＢからＴＡの値を取得し、その後、ステップ１０５を実行する。
ステップ１０４で、他のＵＥからブロードキャストされたＴＡメッセージを監視し、その中からＴＡの値を取得し、その後、ステップ１０５を実行する。
【００２２】
本願の実施例では、上記ＴＡメッセージの構造は、図２に示すように、ＴＡの値を伝送するためのＴＡフィールド２０１と、ＴＡのホップカウントを伝送するためのホップカウントフィールド２０２と、を含んでもよい。上記ＴＡメッセージは、セル識別子を伝送するためのセル識別子フィールド２０３も含んでもよい。ここで、上記ＴＡのホップカウントは、ｅＮＢから、該ＴＡメッセージを受信したＵＥまで、該ＴＡメッセージによって伝送されたＴＡの値が、全部で何個のＵＥを経たかを表す。ＴＡのホップカウントは、主に、ＴＡの精確度を制御し、多すぎる回数の転送を経てＵＥで受信されたＴＡが、精確ではなくなって、且つ、遅延に対するシステム要求を満たすことができなくなることを回避することに用いられる。
【００２３】
本ステップにおいて、ＵＥは、時間ウィンドウＴを設定してもよい。時間ウィンドウＴ内で、他のＵＥからのＴＡメッセージを受信した場合、受信されたＴＡメッセージからＴＡの値を取得することができ、時間ウィンドウＴ内で、他のＵＥからのＴＡメッセージを受信しなかった場合、ステップ１０１に戻って、ランダムアクセス手順を開始できるかの判断を再開する。時間ウィンドウＴの設定も、システム遅延要求を考慮して、ＵＥがＴＡの値を受信したことが遅すぎないようにするものである。
【００２４】
具体的には、時間ウィンドウＴ内で、ＵＥが他のＵＥからのＴＡメッセージを受信して、且つ１つだけのＴＡメッセージを受信した場合、直接に該ＴＡメッセージのＴＡフィールド２０１からＴＡの値を取得し、１つより多いＴＡメッセージを受信した場合、各ＴＡメッセージのホップカウントフィールド２０２によって伝送されたＴＡのホップカウントを検査し、その中から、ＴＡのホップカウントが最も少ないＴＡメッセージを決定する。ＴＡのホップカウントが最も少ないＴＡメッセージが１つだけあれば、直接に該ＴＡメッセージのＴＡフィールド２０１からＴＡの値を取得し、ＴＡのホップカウントが最も少ないＴＡメッセージが複数あれば、さらに、各ＴＡメッセージのセル識別子フィールド２０３によって伝送されたセル識別子が同じであるか否かを判断し、各ＴＡメッセージのセル識別子フィールド２０３によって伝送されたセル識別子が同じであるとき、各ＴＡメッセージのＴＡフィールド２０１によって伝送されたＴＡの値を線型結合し、結合されたＴＡの値に基づいて、自局のＴＡの値を決定し、各ＴＡメッセージのセル識別子フィールド２０３によって伝送されたセル識別子が同じではないとき、その中から、受信電力強度が最大となるセル又は自局のサービングセルに対応するＴＡメッセージを探し、受信電力強度が最大となるセル又は自局のサービングセルからのＴＡメッセージに基づいて、自局のＴＡの値を決定する。
【００２５】
ステップ１０５で、取得されたＴＡの値に基づいて、上りデータ伝送を行う。
ステップ１０６で、上りデータ伝送に成功したか否かを判断する。
上りデータ伝送に成功した場合、ステップ１０７を実行する。
上りデータ伝送に成功しなかった場合、ステップ１０１に戻って、ランダムアクセス手順を開始できるかの判断を再開する。
【００２６】
本ステップにおいて、ＵＥは、ｅＮＢから返された確認メッセージ、例えば、ＡＣＫ／ＮＡＣＫメッセージによって、上りデータ伝送に成功したか否かを決定する。また、システムで許容される再送回数以内で、ある上りデータ伝送に成功した場合、依然として、上りデータ伝送に成功したと決定することができる。一方、システムで設定された最大再送回数に達しても、伝送に成功しなかった場合、上りデータ伝送に成功しなかったと決定し、この場合、ステップ１０１に戻って、ランダムアクセス手順を開始できるかの判断を再開する。
【００２７】
ステップ１０７で、第２の乱数を生成する。
本ステップにおいて、ＵＥは、自局で維持管理されている乱数生成器によって、上記第２の乱数を生成する。
【００２８】
ステップ１０８で、生成された第２の乱数に基づいて、自局がＴＡのブロードキャスト装置とすることができるか否かを判断し、自局がＴＡのブロードキャスト装置とすることができると判断した場合、ステップ１０９を実行し、自局がＴＡのブロードキャスト装置とすることができないと判断した場合、本フローを終了して、スリープモードに入る。
【００２９】
具体的には、本ステップにおいて、生成された第２の乱数と、自局に記憶されている第２の閾値とを比較し、生成された第２の乱数が、自局に記憶されている第２の閾値より小さいか否かを判断し、生成された第２の乱数が、自局に記憶されている第２の閾値より小さい場合、自局がＴＡのブロードキャスト装置とすることができると決定し、生成された第２の乱数が、自局に記憶されている第２の閾値以上である場合、自局がＴＡのブロードキャスト装置とすることができないと決定するようにしてもよい。
【００３０】
説明すべきものとして、上述した第２の乱数が第２の閾値より小さいような、ＴＡのブロードキャスト装置とするかの判断条件も、一例にすぎず、本願の実施例では、ＴＡのブロードキャスト装置とするかの他の判断条件を設定してもよい。例えば、第２の乱数が第２の閾値より大きい場合、ＵＥがＴＡのブロードキャスト装置とすることができるが、第２の乱数が第２の閾値以下である場合、ＵＥがＴＡのブロードキャスト装置とすることができないように設定してもよい。同様に、これらの条件の設定は、本願の保護範囲を制限するものではない。
【００３１】
本願の実施例では、上記第２の閾値は、予め定められてＵＥに記憶されたものであってもよい。上記第２の閾値は、ｅＮＢから、各ＵＥへ送信された（例えば、各ＵＥへブロードキャストされた）ものであってもよい。
【００３２】
また、本願の実施例では、異なるＵＥに対して、異なる第２の閾値を設定してもよい。例えば、ＴＡのブロードキャストを行う能力も意志もあるＵＥ（即ち、ＴＡのブロードキャスト装置とする能力も意志もあるＵＥ）に対しては、ＴＡのブロードキャスト装置としてＴＡのブロードキャストを行う確率を増加させるように、高い第１の閾値を設定してもよいが、ＴＡのブロードキャスト装置としてブロードキャストメッセージを送信する能力がないＵＥに対しては、ＴＡのブロードキャスト装置としないように、０に設定してもよい。
【００３３】
ステップ１０９で、取得されたＴＡの値に基づいて、ＴＡメッセージを生成する。
本ステップにおいて、ＵＥは、取得されたＴＡの値に基づいて、図２に示すＴＡメッセージを生成してもよい。この場合、本ステップは、取得されたＴＡの値をＴＡフィールド２０１に入れることと、ＴＡのホップカウントを生成してホップカウントフィールド２０２に入れることと、を含む。ＴＡメッセージにセル識別子フィールドが含まれる場合、ＵＥは、自局の位置するセルの識別子をセル識別子フィールド２０３に入れてもよい。
【００３４】
ここで、ＵＥがＴＡのホップカウントを生成する具体的な方法は、取得されたＴＡの値が、ランダムアクセス手順によって、直接にｅＮＢから取得されたものである場合、生成されたＴＡのホップカウントが０であり、取得されたＴＡの値が、他のＵＥからブロードキャストされたＴＡメッセージから取得されたものである場合、生成されたＴＡのホップカウントが、受信されたＴＡメッセージのホップカウントフィールド２０２によって伝送されたＴＡのホップカウントに１を加えたものである、ことを含む。つまり、受信されたＴＡメッセージによって伝送されたＴＡのホップカウントの値に１を加える。これは、該ＴＡの値の、ＵＥによる転送がもう１回追加されたことを表す。
【００３５】
ステップ１１０で、生成されたＴＡメッセージをブロードキャストする。
本ステップにおいて、ＵＥは、ＬＴＥのサイドリンク（Ｓｉｄｅｌｉｎｋ）によって、生成されたＴＡメッセージをブロードキャストしてもよい。具体的には、物理サイドリンク共用チャネル（ＰＳＳＣＨ：Ｐｈｙｓｉｃａｌ  ｓｉｄｅｌｉｎｋ  ｓｈａｒｅｄ  ｃｈａｎｎｅｌ）によって、生成されたＴＡメッセージを伝送してもよい。
【００３６】
本願の実施例では、ＵＥは、生成されたＴＡメッセージを複数回ブロードキャストしてもよい。例えば、ＵＥで最大ブロードキャスト回数Ｂ又はブロードキャスト時間ウィンドウの長さＴｂを設定してもよい。この場合、ＵＥは、上記ステップ１１０をＢ回繰り返して実行したり、又は、時間ウィンドウＴｂ内で上記ステップ１１０を繰り返して実行したりしてから、上記のフローを終了して、スリープモードに入るようにしてもよい。
【００３７】
また、本ステップにおいて、ＵＥがＴＡメッセージをブロードキャストするための電力は、ＵＥの最大ブロードキャスト電力及び上記ブロードキャスト時間ウィンドウの長さＴｂによって制限される。
【００３８】
また、ＴＡの値の転送回数が多すぎることによるＴＡの値のずれが大きすぎることを回避するために、上記ステップ１０９を実行する前に、判断ステップ１０９Ａをさらに追加してもよい。
【００３９】
ステップ１０９Ａで、ＴＡの値が他のＵＥのＴＡメッセージからのものであって、且つ該ＴＡメッセージのホップカウントフィールド２０２によって伝送されたＴＡのホップカウントが、予め定められた第３の閾値以上である場合、ＴＡメッセージを生成してブロードキャストする必要がなく、上記のフローを終了して、スリープモードに入るが、さもないと、引き続いてステップ１０９を実行する。
【００４０】
上記第３の閾値は、予め定められてＵＥに記憶されたものであってもよいし、ｅＮＢから、ＵＥへ送信された（例えば、ＵＥへブロードキャストされた）ものであってもよい。上記第３の閾値の設定は、ＴＡの値の精確度、及び、セル全体内でブロードキャストされたＴＡメッセージの数を総合的に考慮してもよい。適当な第３の閾値を設定することにより、ＵＥのアクセス遅延を低減させるとともに、ＵＥのアクセス確率を大きくすることができる。例えば、ＵＥがＴＡメッセージをブロードキャストするための電力がＰであるとすると、ＴＡメッセージの送信側から、該ＴＡメッセージを受信できる受信側までの距離ｄを得ることができ、さらに、この距離ｄにおける伝送信号の遅延Ｔｄを決定することができる。Ｔｄと上記第３の閾値との積は、許容可能な最大上り遅延より小さい必要がある。
【００４１】
上記の方法から分かるように、本願の実施例で提供された上りデータ伝送方法は、全てのＵＥがランダムアクセス手順を実行する必要がない。この方法では、一部のＵＥが、ランダムアクセス手順によって、ＴＡの値を取得するが、一部のＵＥが、他のＵＥからブロードキャストされたＴＡメッセージから、ＴＡの値を取得する。全てのＵＥがランダムアクセス手順を実行するわけではないので、ＵＥのランダムアクセス手順の衝突によるアクセス遅延、シグナリングオーバヘッド、及び電力消耗を大幅に減少させることができる。５Ｇの、多数同時接続を実現するマシンタイプ通信の利用シナリオでも、優れた上りアクセス性能を得ることができる。
【００４２】
上記構成の代替構成として、本願の実施例では、ｅＮＢが、例えば、ランダムアクセス手順を実行できるＵＥの識別子を下すなど、ＵＥがランダムアクセス手順を実行するか否かを直接に指定してもよい。この場合、あるＵＥが、ランダムアクセス手順を実行できると指定されると、上述した第１の乱数を生成するステップ、及び、第１の乱数に基づいて判断するステップを実行する必要がなく（ステップ１０１及び１０２を実行せず）、直接にランダムアクセス手順を実行し、ＴＡの値を取得する（ステップ１０３）。あるＵＥが、ランダムアクセス手順を実行できると指定されないと、他のＵＥからブロードキャストされたＴＡメッセージから、ＴＡの値を取得するようにしてもよい（ステップ１０４）。
【００４３】
或いは、システムでは、若干のＵＥが、上述した第１の乱数を生成するステップ、及び、第１の乱数に基づいて、ランダムアクセス手順を実行できるかを判断するステップを実行する必要がなく、直接にランダムアクセス手順を実行できるように予め設定してもよい。例えば、ＭＴＣクラスタのヘッド（Ｈｅａｄ）ユーザに対して、システムでは、直接に、ランダムアクセスを実行できるユーザとして予め設定してもよい。
【００４４】
また、上記構成の簡略な代替構成として、上りデータの伝送に成功した後、ＵＥは、第２の乱数を生成するステップ、及び、第２の乱数に基づいて、自局がＴＡのブロードキャスト装置であるか否かを判断するステップを実行せず（ステップ１０７及び１０８を実行せず）、直接に、ＴＡメッセージを生成するステップ、及び、生成されたＴＡメッセージをブロードキャストするステップ（ステップ１０９及び１１０）を実行するようにしてもよい。このように、上りデータの伝送に成功した全てのＵＥが、ＴＡメッセージを他のＵＥにブロードキャストすることが設定される。当然、簡略化前の構成は、上記簡略な構成に比べて、良い柔軟性及び制御可能性を有し、ＬＴＥのＳｉｄｅｌｉｎｋの周波数輻輳及び多すぎる電力オーバヘッドを回避することができ、しかもＴＡの取得を必要とするユーザが密集するシナリオに適合する。このような、ＴＡの取得を必要とするユーザが密集するシナリオでは、実は、数多のＵＥがＴＡのブロードキャスト装置となる必要がなく、数少ないＵＥのブロードキャストによって、多数のＵＥがＴＡの値を取得することができる。
【００４５】
上記の上りデータ伝送方法に対応して、本願の実施例では、上記方法を実現するＵＥも提供されている。図３は、本願の実施例におけるＵＥ３００の内部構成を示す。
【００４６】
図３に示すように、本願の実施例におけるＵＥ３００は、プロセッサ３０１と、メモリ３０２と、送信装置３０３と、受信装置３０４と、を備える。プロセッサ３０１と、メモリ３０２、送信装置３０３、及び受信装置３０４とは、接続手段３０５を介して通信する。プロセッサ３０１は、３０２に記憶されている以下の指令モジュール、即ち、第１の乱数を生成する第１の乱数生成モジュール３０２１と、第１の乱数に基づいて、ランダムアクセス手順を実行するか否かを決定し、ランダムアクセス手順を実行すると決定した場合、受信装置３０４を介して、ランダムアクセス手順によって、ｅＮＢからＴＡの値を取得し、ランダムアクセス手順を実行しないと決定した場合、受信装置３０４を介して、他のＵＥからブロードキャストされたＴＡメッセージを監視し、その中からＴＡの値を取得するＴＡ取得モジュール３０２２と、取得されたＴＡの値に基づいて、送信装置３０３を介して、上りデータ伝送を行うデータ伝送モジュール３０２３と、第２の乱数を生成する第２の乱数生成モジュール３０２４と、第２の乱数に基づいて、ＴＡのブロードキャスト装置とするか否かを決定し、ＴＡのブロードキャスト装置とすると決定した場合、取得されたＴＡの値に基づいて、ＴＡメッセージを生成するＴＡメッセージ生成モジュール３０２５と、送信装置３０３を介して、生成されたＴＡメッセージをブロードキャストするブロードキャストモジュール３０２６と、を実行する。
【００４７】
上記ＵＥは、第１の閾値を記憶する第１の記憶モジュールをさらに備えてもよい。この場合、上記ＴＡ取得モジュール３０２２は、生成された第１の乱数と、記憶モジュールに記憶されている第１の閾値とを比較し、生成された第１の乱数が、自局に記憶されている第１の閾値より小さいか否かを判断し、生成された第１の乱数が、自局に記憶されている第１の閾値より小さい場合、ランダムアクセス手順を開始すると決定し、生成された第１の乱数が、自局に記憶されている第１の閾値以上である場合、ランダムアクセス手順を開始しないと決定する。
【００４８】
上記ＵＥは、第２の閾値を記憶する第２の記憶モジュールをさらに備えてもよい。この場合、上記ＴＡメッセージ生成モジュール３０２５は、生成された第２の乱数と、自局に記憶されている第２の閾値とを比較し、生成された第２の乱数が、自局に記憶されている第２の閾値より小さいか否かを判断し、生成された第２の乱数が、自局に記憶されている第２の閾値より小さい場合、自局がＴＡのブロードキャスト装置であると決定する。
【００４９】
前述したように、上記ＴＡメッセージは、ＴＡフィールド、ホップカウントフィールド、及びセル識別子フィールドを含んでもよい。この場合、上記ＴＡメッセージ生成モジュール３０２５は、取得されたＴＡの値をＴＡメッセージのＴＡフィールドに入れ、ＴＡのホップカウントを生成してＴＡメッセージのホップカウントフィールドに入れ、自局の位置するセルの識別子をＴＡメッセージのセル識別子フィールドに入れる。
【００５０】
また、上記ブロードキャストモジュール３０２６は、設定されたブロードキャスト時間ウィンドウの長さ以内で、生成されたＴＡメッセージを繰り返してブロードキャストしてもよい。
【００５１】
また、上記ＴＡメッセージ生成モジュール３０２５は、ＴＡメッセージを生成する前にさらに判断し、ＴＡの値が他のＵＥのＴＡメッセージからのものであって、且つ該ＴＡメッセージによって伝送されたＴＡのホップカウントが、予め定められた第３の閾値以上である場合、ＴＡメッセージを生成せず、終了するようにしてもよい。
【００５２】
前述したように、簡略な代替構成として、ＵＥは、上記第２の乱数生成モジュール３０２４を備えなくてもよい。この場合、上記ＴＡメッセージ生成モジュール３０２５は、どのような判断を行う必要もなく、直接に、取得されたＴＡの値に基づいて、ＴＡメッセージを生成するようにしてもよい。
【００５３】
上記ＵＥから分かるように、本願の実施例で提供されたＵＥは、必ずしも全部でランダムアクセス手順を実行するわけではなく、ランダムアクセス手順によってｅＮＢからＴＡの値を取得する以外に、他のＵＥからブロードキャストされたＴＡメッセージから、ＴＡの値を取得することもできる。これにより、ＵＥ間のランダムアクセス手順の衝突によるアクセス遅延、シグナリングオーバヘッド、及び電力消耗を大幅に減少させる。従って、５Ｇの、多数同時接続を実現するマシンタイプ通信の利用シナリオでも、優れた上りアクセス性能を得ることができる。
【００５４】
以上の説明では、ＵＥ３００のハードウェア構成は、図に示した各部材を１つ又は複数含むように構成されてもよいし、一部の部材を含まずに構成されてもよい。例えば、プロセッサ３０１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ３０１は、１以上のチップで実装されてもよい。
【００５５】
メモリ３０２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）、ＲＡＭ（Ｒａｎｄｏｍ  Ａｃｃｅｓｓ  Ｍｅｍｏｒｙ）、その他の適切な記憶媒体の少なくとも１つで構成されてもよい。メモリ６０２及び７０２は、レジスタ、キャッシュ、メインメモリ（主記憶装置）などと呼ばれてもよい。メモリ６０２及び７０２は、本願の実施形態に係る上りデータ伝送方法を実施するために実行可能なプログラム（プログラムコード）、ソフトウェアモジュールなどを保存することができる。また、ＵＥ３００は、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ３０１は、これらのハードウェアの少なくとも１つで実装されてもよい。
【００５６】
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。
【００５７】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【００５８】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００５９】
また、情報、信号などは、上位レイヤから下位レイヤ、及び／又は下位レイヤから上位レイヤへ出力され得る。情報、信号などは、複数のネットワークノードを介して入出力されてもよい。入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【００６０】
情報の通知は、本明細書で説明した態様／実施形態に限られず、他の方法で行われてもよい。例えば、情報の通知は、物理レイヤシグナリング（例えば、下り制御情報（ＤＣＩ：Ｄｏｗｎｌｉｎｋ  Ｃｏｎｔｒｏｌ  Ｉｎｆｏｒｍａｔｉｏｎ）、上り制御情報（ＵＣＩ：Ｕｐｌｉｎｋ  Ｃｏｎｔｒｏｌ  Ｉｎｆｏｒｍａｔｉｏｎ））、上位レイヤシグナリング（例えば、ＲＲＣ（Ｒａｄｉｏ  Ｒｅｓｏｕｒｃｅ  Ｃｏｎｔｒｏｌ）シグナリング、ブロードキャスト情報（マスタ情報ブロック（ＭＩＢ：Ｍａｓｔｅｒ  Ｉｎｆｏｒｍａｔｉｏｎ  Ｂｌｏｃｋ）、システム情報ブロック（ＳＩＢ：Ｓｙｓｔｅｍ  Ｉｎｆｏｒｍａｔｉｏｎ  Ｂｌｏｃｋ）など）、ＭＡＣ（Ｍｅｄｉｕｍ  Ａｃｃｅｓｓ  Ｃｏｎｔｒｏｌ）シグナリング）、その他の信号又はこれらの組み合わせによって実施されてもよい。
【００６１】
なお、物理レイヤシグナリングは、Ｌ１／Ｌ２（Ｌａｙｅｒ  １／Ｌａｙｅｒ  ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（ＲＲＣ  Ｃｏｎｎｅｃｔｉｏｎ  Ｓｅｔｕｐ）メッセージ、ＲＲＣ接続再構成（ＲＲＣ  Ｃｏｎｎｅｃｔｉｏｎ  Ｒｅｃｏｎｆｉｇｕｒａｔｉｏｎ）メッセージなどであってもよい。また、ＭＡＣシグナリングは、例えば、ＭＡＣ制御要素（ＭＡＣ  ＣＥ（Ｃｏｎｔｒｏｌ  Ｅｌｅｍｅｎｔ））で通知されてもよい。
【００６２】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【００６３】
判定は、１ビットで表される値（０か１か）によって行われてもよいし、真（ｔｒｕｅ）又は偽（ｆａｌｓｅ）で表される真偽値（ｂｏｏｌｅａｎ）によって行われてもよいし、数値の比較（例えば、所定の値との比較）によって行われてもよい。
【００６４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００６５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Ｄｉｇｉｔａｌ  Ｓｕｂｓｃｒｉｂｅｒ  Ｌｉｎｅ）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【００６６】
本明細書で使用する「システム」及び「ネットワーク」という用語は、互換的に使用される。
本明細書では、「基地局（ＢＳ：Ｂａｓｅ  Ｓｔａｔｉｏｎ）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）、送信ポイント、受信ポイント、フェムトセル、スモールセルなどの用語で呼ばれる場合もある。
【００６７】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び／又は基地局サブシステムのカバレッジエリアの一部又は全体を指す。
【００６８】
本明細書では、「移動局（ＭＳ：Ｍｏｂｉｌｅ  Ｓｔａｔｉｏｎ）」、「ユーザ端末（ｕｓｅｒ  ｔｅｒｍｉｎａｌ）」、「ユーザ装置（ＵＥ：Ｕｓｅｒ  Ｅｑｕｉｐｍｅｎｔ）」及び「端末」という用語は、互換的に使用され得る。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）、送信ポイント、受信ポイント、フェムトセル、スモールセルなどの用語で呼ばれる場合もある。
【００６９】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【００７０】
また、本明細書における無線基地局は、ユーザ端末で読み替えてもよい。例えば、無線基地局及びユーザ端末間の通信を、複数のユーザ端末間（Ｄ２Ｄ：Ｄｅｖｉｃｅ−ｔｏ−Ｄｅｖｉｃｅ）の通信に置き換えた構成について、本発明の各態様／実施形態を適用してもよい。この場合、上述のｅＮＢが有する機能をＵＥ３００が有する構成としてもよい。また、「上り」及び「下り」などの文言は、「サイド」と読み替えられてもよい。例えば、上りチャネルは、サイドチャネルと読み替えられてもよい。
【００７１】
同様に、本明細書におけるユーザ端末は、無線基地局で読み替えてもよい。この場合、上述のＵＥ３００が有する機能をｅＮＢが有する構成としてもよい。
【００７２】
本明細書において、基地局によって行われるとした特定動作は、場合によってはその上位ノード（ｕｐｐｅｒ  ｎｏｄｅ）によって行われることもある。基地局を有する１つ又は複数のネットワークノード（ｎｅｔｗｏｒｋ  ｎｏｄｅｓ）から成るネットワークにおいて、端末との通信のために行われる様々な動作は、基地局、基地局以外の１つ以上のネットワークノード（例えば、ＭＭＥ（Ｍｏｂｉｌｉｔｙ  Ｍａｎａｇｅｍｅｎｔ  Ｅｎｔｉｔｙ）、Ｓ−ＧＷ（Ｓｅｒｖｉｎｇ−Ｇａｔｅｗａｙ）などが考えられるが、これらに限られない）又はこれらの組み合わせによって行われ得ることは明らかである。
【００７３】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００７４】
本明細書で説明した各態様／実施形態は、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＬＴＥ−Ｂ（ＬＴＥ−Ｂｅｙｏｎｄ）、ＳＵＰＥＲ  ３Ｇ、ＩＭＴ−Ａｄｖａｎｃｅｄ、４Ｇ（４ｔｈ  ｇｅｎｅｒａｔｉｏｎ  ｍｏｂｉｌｅ  ｃｏｍｍｕｎｉｃａｔｉｏｎ  ｓｙｓｔｅｍ）、５Ｇ（５ｔｈ  ｇｅｎｅｒａｔｉｏｎ  ｍｏｂｉｌｅ  ｃｏｍｍｕｎｉｃａｔｉｏｎ  ｓｙｓｔｅｍ）、ＦＲＡ（Ｆｕｔｕｒｅ  Ｒａｄｉｏ  Ａｃｃｅｓｓ）、Ｎｅｗ−ＲＡＴ（Ｒａｄｉｏ  Ａｃｃｅｓｓ  Ｔｅｃｈｎｏｌｏｇｙ）、ＮＲ（Ｎｅｗ  Ｒａｄｉｏ）、ＮＸ（Ｎｅｗ  ｒａｄｉｏ  ａｃｃｅｓｓ）、ＦＸ（Ｆｕｔｕｒｅ  ｇｅｎｅｒａｔｉｏｎ  ｒａｄｉｏ  ａｃｃｅｓｓ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＣＤＭＡ２０００、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ｕｌｔｒａ−ＷｉｄｅＢａｎｄ）、Ｂｌｕｅｔｏｏｔｈ（登録商標）、その他の適切な無線通信方法を利用するシステム及び／又はこれらに基づいて拡張された次世代システムに適用されてもよい。
【００７５】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００７６】
本明細書で使用する「判断（決定）（ｄｅｔｅｒｍｉｎｉｎｇ）」という用語は、多種多様な動作を包含する場合がある。例えば、「判断（決定）」は、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベース又は別のデータ構造での探索）、確認（ａｓｃｅｒｔａｉｎｉｎｇ）などを「判断（決定）」することであるとみなされてもよい。また、「判断（決定）」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）などを「判断（決定）」することであるとみなされてもよい。また、「判断（決定）」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などを「判断（決定）」することであるとみなされてもよい。つまり、「判断（決定）」は、何らかの動作を「判断（決定）」することであるとみなされてもよい。
【００７７】
本明細書で使用する「接続された（ｃｏｎｎｅｃｔｅｄ）」、「結合された（ｃｏｕｐｌｅｄ）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」と読み替えられてもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び／又は光（可視及び不可視の両方）領域の波長を有する電磁エネルギーなどを使用することにより、互いに「接続」又は「結合」されると考えることができる。
【００７８】
本明細書又は特許請求の範囲で「含む（ｉｎｃｌｕｄｉｎｇ）」、「含んでいる（ｃｏｍｐｒｉｓｉｎｇ）」、及びそれらの変形が使用されている場合、これらの用語は、用語「備える」と同様に、包括的であることが意図される。さらに、本明細書あるいは特許請求の範囲において使用されている用語「又は（ｏｒ）」は、排他的論理和ではないことが意図される。
【００７９】
上記は、本願の好ましい実施例にすぎず、本願の保護範囲を限定するものではない。本願の精神および原則内で行われる種々の修正、均等置換え、改善などは全て本願の保護範囲内に含まれるべきである。
【図１】
2019527986.tif 000003
【図２】
2019527986.tif 000004
【図３】
2019527986.tif 000005
【手続補正書】
【提出日】平成31年4月5日(2019.4.5)
【手続補正１】
【補正対象書類名】明細書
【補正対象項目名】００３２
【補正方法】変更
【補正の内容】
【００３２】
また、本願の実施例では、異なるＵＥに対して、異なる第２の閾値を設定してもよい。例えば、ＴＡのブロードキャストを行う能力も意志もあるＵＥ（即ち、ＴＡのブロードキャスト装置とする能力も意志もあるＵＥ）に対しては、ＴＡのブロードキャスト装置としてＴＡのブロードキャストを行う確率を増加させるように、高い第２の閾値を設定してもよいが、ＴＡのブロードキャスト装置としてブロードキャストメッセージを送信する能力がないＵＥに対しては、ＴＡのブロードキャスト装置としないように、０に設定してもよい。
【手続補正２】
【補正対象書類名】明細書
【補正対象項目名】００４７
【補正方法】変更
【補正の内容】
【００４７】
上記ＵＥは、第１の閾値を記憶する第１の記憶モジュールをさらに備えてもよい。この場合、上記ＴＡ取得モジュール３０２２は、生成された第１の乱数と、第１の記憶モジュールに記憶されている第１の閾値とを比較し、生成された第１の乱数が、自局に記憶されている第１の閾値より小さいか否かを判断し、生成された第１の乱数が、自局に記憶されている第１の閾値より小さい場合、ランダムアクセス手順を開始すると決定し、生成された第１の乱数が、自局に記憶されている第１の閾値以上である場合、ランダムアクセス手順を開始しないと決定する。
【手続補正３】
【補正対象書類名】明細書
【補正対象項目名】００５５
【補正方法】変更
【補正の内容】
【００５５】
メモリ３０２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）、ＲＡＭ（Ｒａｎｄｏｍ  Ａｃｃｅｓｓ  Ｍｅｍｏｒｙ）、その他の適切な記憶媒体の少なくとも１つで構成されてもよい。メモリ３０２は、レジスタ、キャッシュ、メインメモリ（主記憶装置）などと呼ばれてもよい。メモリ３０２は、本願の実施形態に係る上りデータ伝送方法を実施するために実行可能なプログラム（プログラムコード）、ソフトウェアモジュールなどを保存することができる。また、ＵＥ３００は、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ３０１は、これらのハードウェアの少なくとも１つで実装されてもよい。
【手続補正４】
【補正対象書類名】特許請求の範囲
【補正対象項目名】全文
【補正方法】変更
【補正の内容】
【特許請求の範囲】
【請求項１】
上りデータ伝送方法であって、
第１の乱数を生成するステップＡと、
生成された第１の乱数に基づいて、ランダムアクセス手順を開始するか否かを判断し、ランダムアクセス手順を開始すると判断した場合、ランダムアクセス手順によって、基地局からタイミングアドバンス（ＴＡ）の値を取得し、ランダムアクセス手順を開始しないと判断した場合、他のユーザ装置（ＵＥ）からブロードキャストされたＴＡメッセージを監視し、その中からＴＡの値を取得するステップＢと、
取得されたＴＡの値に基づいて、上りデータ伝送を行うステップＣと、
上りデータ伝送に成功した場合、引き続いてステップＥを実行し、上りデータ伝送に成功しなかった場合、ステップＡに戻るステップＤと、
取得されたＴＡの値に基づいて、ＴＡメッセージを生成し、生成されたＴＡメッセージをブロードキャストするステップＥと、
を含むことを特徴とする方法。
【請求項２】
前記生成された第１の乱数に基づいて、ランダムアクセス手順を開始するか否かを判断することは、
生成された第１の乱数と、自局に記憶されている第１の閾値とを比較し、生成された第１の乱数が、自局に記憶されている第１の閾値より小さいか否かを判断し、生成された第１の乱数が、自局に記憶されている第１の閾値より小さい場合、ランダムアクセス手順を開始すると判断し、生成された第１の乱数が、自局に記憶されている第１の閾値以上である場合、ランダムアクセス手順を開始しないと判断すること、
を含むことを特徴とする請求項１に記載の方法。
【請求項３】
前記第１の閾値は、予め定められたものであり、又は、基地局から受信されたものであることを特徴とする請求項２に記載の方法。
【請求項４】
ステップＥを実行する前に、
第２の乱数を生成し、生成された第２の乱数に基づいて、自局がＴＡのブロードキャスト装置であるか否かを決定し、自局がＴＡのブロードキャスト装置であると決定した場合、ステップＥを実行し、自局がＴＡのブロードキャスト装置ではないと決定した場合、終了すること、
をさらに含むことを特徴とする請求項１に記載の方法。
【請求項５】
生成された第２の乱数に基づいて、自局がＴＡのブロードキャスト装置であるか否かを決定することは、
生成された第２の乱数と、自局に記憶されている第２の閾値とを比較し、生成された第２の乱数が、自局に記憶されている第２の閾値より小さいか否かを判断し、生成された第２の乱数が、自局に記憶されている第２の閾値より小さい場合、自局がＴＡのブロードキャスト装置であると決定すること、
を含むことを特徴とする請求項４に記載の方法。
【請求項６】
前記第２の閾値は、予め定められたものであり、又は、基地局から受信されたものであることを特徴とする請求項５に記載の方法。
【請求項７】
前記ＴＡメッセージは、ＴＡフィールド、ホップカウントフィールド、及びセル識別子フィールドを含み、
前記取得されたＴＡの値に基づいて、ＴＡメッセージを生成することは、
取得されたＴＡの値をＴＡメッセージのＴＡフィールドに入れ、
ＴＡのホップカウントを生成してＴＡメッセージのホップカウントフィールドに入れ、
自局の位置するセルの識別子をＴＡメッセージのセル識別子フィールドに入れること、
を含むことを特徴とする請求項１に記載の方法。
【請求項８】
前記ＴＡのホップカウントを生成することは、
取得されたＴＡの値が、ランダムアクセス手順によって、直接に基地局から取得されたものである場合、生成されたＴＡのホップカウントが０であり、
取得されたＴＡの値が、他のＵＥからブロードキャストされたＴＡメッセージから取得されたものである場合、生成されたＴＡのホップカウントが、受信されたＴＡメッセージのホップカウントフィールドによって伝送されたＴＡのホップカウントに１を加えたものであること、
を含むことを特徴とする請求項７に記載の方法。
【請求項９】
前記生成されたＴＡメッセージをブロードキャストすることは、ＬＴＥのＳｉｄｅｌｉｎｋによって、生成されたＴＡメッセージをブロードキャストすること、
を含むことを特徴とする請求項１に記載の方法。
【請求項１０】
前記他のＵＥからブロードキャストされたＴＡメッセージを監視し、その中からＴＡの値を取得することは、
時間ウィンドウＴを設定し、時間ウィンドウＴ内で、他のＵＥからのＴＡメッセージを受信した場合、受信されたＴＡメッセージからＴＡの値を取得すること、
を含むことを特徴とする請求項１に記載の方法。
【請求項１１】
前記ＴＡメッセージは、ＴＡフィールド、ホップカウントフィールド、及びセル識別子フィールドを含み、
前記受信されたＴＡメッセージからＴＡの値を取得することは、
１つだけのＴＡメッセージを受信した場合、直接に前記ＴＡメッセージからＴＡの値を取得し、
１つより多いＴＡメッセージを受信した場合、各ＴＡメッセージによって伝送されたＴＡのホップカウントを検査し、その中から、ＴＡのホップカウントが最も少ないＴＡメッセージを決定し、
ＴＡのホップカウントが最も少ないＴＡメッセージが１つだけあれば、直接に前記ＴＡメッセージからＴＡの値を取得し、
ＴＡのホップカウントが最も少ないＴＡメッセージが複数あれば、さらに、各ＴＡメッセージによって伝送されたセル識別子が同じであるか否かを判断し、
各ＴＡメッセージによって伝送されたセル識別子が同じであるとき、各ＴＡメッセージによって伝送されたＴＡの値を線型結合し、結合されたＴＡの値に基づいて、自局のＴＡの値を決定し、
各ＴＡメッセージによって伝送されたセル識別子が同じではないとき、受信電力強度が最大となるセル又は自局のサービングセルに対応するＴＡメッセージを決定し、決定されたＴＡメッセージに基づいて、自局のＴＡの値を決定すること、
を含むことを特徴とする請求項１０に記載の方法。
【請求項１２】
設定されたブロードキャスト時間ウィンドウの長さ以内で、生成されたＴＡメッセージを繰り返してブロードキャストすること、
をさらに含むことを特徴とする請求項１に記載の方法。
【請求項１３】
前記ＴＡメッセージは、ホップカウントフィールドを含み、
ＴＡメッセージを生成する前に、前記方法は、ＴＡの値が他のＵＥのＴＡメッセージからのものであって、且つ該ＴＡメッセージによって伝送されたＴＡのホップカウントが、予め定められた第３の閾値以上である場合、終了すること、
をさらに含むことを特徴とする請求項１に記載の方法。
【請求項１４】
ユーザ装置（ＵＥ）であって、
第１の乱数を生成する第１の乱数生成モジュールと、
第１の乱数に基づいて、ランダムアクセス手順を実行するか否かを決定し、ランダムアクセス手順を実行すると決定した場合、ランダムアクセス手順によって、ｅＮＢからタイミングアドバンス（ＴＡ）の値を取得し、ランダムアクセス手順を実行しないと決定した場合、他のＵＥからブロードキャストされたＴＡメッセージを監視し、その中からＴＡの値を取得するＴＡ取得モジュールと、
取得されたＴＡの値に基づいて、上りデータ伝送を行うデータ伝送モジュールと、
取得されたＴＡの値に基づいて、ＴＡメッセージを生成するＴＡメッセージ生成モジュールと、
生成されたＴＡメッセージをブロードキャストするブロードキャストモジュールと、
を備えることを特徴とするＵＥ。
【請求項１５】
第１の閾値を記憶する第１の記憶モジュールをさらに備え、
前記ＴＡ取得モジュールは、生成された第１の乱数と、第１の記憶モジュールに記憶されている第１の閾値とを比較し、生成された第１の乱数が、自局に記憶されている第１の閾値より小さいか否かを判断し、生成された第１の乱数が、自局に記憶されている第１の閾値より小さい場合、ランダムアクセス手順を開始すると決定し、生成された第１の乱数が、自局に記憶されている第１の閾値以上である場合、ランダムアクセス手順を開始しないと決定することを特徴とする請求項１４に記載のＵＥ。
【請求項１６】
第２の乱数を生成する第２の乱数生成モジュールをさらに備え、
前記ＴＡメッセージ生成モジュールは、ＴＡメッセージを生成する前に、第２の乱数に基づいて、自局がＴＡのブロードキャスト装置であるか否かを決定し、自局がＴＡのブロードキャスト装置であると決定した場合、取得されたＴＡの値に基づいて、ＴＡメッセージを生成し、自局がＴＡのブロードキャスト装置ではないと決定した場合、ＴＡメッセージを生成しないことを特徴とする請求項１４に記載のＵＥ。
【請求項１７】
第２の閾値を記憶する第２の記憶モジュールをさらに備え、
前記ＴＡメッセージ生成モジュールは、生成された第２の乱数と、自局に記憶されている第２の閾値とを比較し、生成された第２の乱数が、自局に記憶されている第２の閾値より小さいか否かを判断し、生成された第２の乱数が、自局に記憶されている第２の閾値より小さい場合、自局がＴＡのブロードキャスト装置であると決定することを特徴とする請求項１６に記載のＵＥ。
【請求項１８】
前記ＴＡメッセージは、ＴＡフィールド、ホップカウントフィールド、及びセル識別子フィールドを含み、
前記ＴＡメッセージ生成モジュールは、取得されたＴＡの値をＴＡメッセージのＴＡフィールドに入れ、ＴＡのホップカウントを生成してＴＡメッセージのホップカウントフィールドに入れ、自局の位置するセルの識別子をＴＡメッセージのセル識別子フィールドに入れることを特徴とする請求項１４に記載のＵＥ。
【請求項１９】
前記ブロードキャストモジュールは、設定されたブロードキャスト時間ウィンドウの長さ以内で、生成されたＴＡメッセージを繰り返してブロードキャストすることを特徴とする請求項１４に記載のＵＥ。
【請求項２０】
前記ＴＡメッセージ生成モジュールは、ＴＡメッセージを生成する前に、さらに判断し、ＴＡの値が他のＵＥのＴＡメッセージからのものであって、且つ該ＴＡメッセージによって伝送されたＴＡのホップカウントが、予め定められた第３の閾値以上である場合、処理を終了することを特徴とする請求項１４に記載のＵＥ。
【請求項２１】
不揮発性コンピュータ可読記憶媒体であって、
前記記憶媒体に機械可読指令が記憶され、前記機械可読指令は、
第１の乱数を生成するステップＡと、
生成された第１の乱数に基づいて、ランダムアクセス手順を開始するか否かを判断し、ランダムアクセス手順を開始すると判断した場合、ランダムアクセス手順によって、基地局からタイミングアドバンス（ＴＡ）の値を取得し、ランダムアクセス手順を開始しないと判断した場合、他のユーザ装置（ＵＥ）からブロードキャストされたＴＡメッセージを監視し、その中からＴＡの値を取得するステップＢと、
取得されたＴＡの値に基づいて、上りデータ伝送を行うステップＣと、
上りデータ伝送に成功した場合、引き続いてステップＥを実行し、上りデータ伝送に成功しなかった場合、ステップＡに戻るステップＤと、
取得されたＴＡの値に基づいて、ＴＡメッセージを生成し、生成されたＴＡメッセージをブロードキャストするステップＥと、
を完成させるように、プロセッサで実行可能であることを特徴とする不揮発性コンピュータ可読記憶媒体。
【国際調査報告】
2019527986.tif 000006
2019527986.tif 000007
2019527986.tif 000008
2019527986.tif 000009